(57)【要約】      （修正有）【課題】プレススルーパッケージ（ＰＴＰ）包装体で包装された義歯洗浄剤から、使用の都度、一々、当該包装体を破砕して錠剤の義歯洗浄剤を外に取り出し使用する面倒を回避でき、その蓋部を押すことにより、丸薬を簡単に１錠ずつ外部に排出できるようにした等の利便性のある丸薬の供給装置を提供する。【解決手段】丸薬収納部１００と丸薬収納部１００から供給された丸薬を受ける丸薬受け部１０１と丸薬受け部１０１から供給された丸薬の数を調節する丸薬数調節部１０２と丸薬数調節部１０２から供給されてくる丸薬を出口方向に導く丸薬導出部１０３と丸薬導出部１０３から導かれた丸薬を外部に排出する丸薬出口部１０４と蓋部１０５とを備えてなる丸薬の供給装置１。【選択図】図１
0003198509.tif 000002
【実用新案登録請求の範囲】
【請求項１】
丸薬収納部と、該丸薬収納部から供給された丸薬を受ける丸薬受け部と、該丸薬受け部から供給された丸薬の数を調節する丸薬数調節部と、当該丸薬数調節部から供給されてくる丸薬を出口方向に導く丸薬導出部と、当該丸薬導出部から導かれた丸薬を外部に排出する丸薬出口部とを備えてなることを特徴とする丸薬の供給装置。
【請求項２】
丸薬が、義歯洗浄剤であることを特徴とする、請求項１に記載の丸薬の供給装置。
【請求項３】
義歯洗浄剤が、プレススル−パッケ−ジ包装体で包装された義歯洗浄剤の当該包装体を破砕して外に取り出した錠剤よりなることを特徴とする、請求項１又は２に記載の丸薬の供給装置。
【請求項４】
丸薬の供給装置が、蓋部を備え、当該蓋部を押すことにより、丸薬が１錠ずつ外部に排出できるようになっていることを特徴とする、請求項１，２又は３に記載の丸薬の供給装置。
【請求項５】
丸薬を出口方向に導く丸薬導出部が、２つの回転歯車と丸薬を突き動かす丸薬突出部とを備えてなることを特徴とする、請求項１，２、３又は４に記載の丸薬の供給装置。
【請求項６】
丸薬の供給装置が、包装体で包装された丸薬の当該包装体を破砕して丸薬を当該包装体から外部に露出させることができる丸薬包装体破砕部を備えてなることを特徴とする、請求項１，２、３、４又は５に記載の丸薬の供給装置。
【考案の詳細な説明】
【技術分野】
【０００１】
本考案は、丸薬の供給装置に関し、特に、プレススル−パッケ−ジ（ＰＴＰ）包装体で包装された義歯洗浄剤から、使用の都度、一々、当該包装体を破砕して錠剤の義歯洗浄剤を外に取り出し使用する面倒を回避でき、その蓋部を押すことにより、丸薬を簡単に１錠ずつ外部に排出できるようにした等の利便性のある丸薬の供給装置に関するものである。
【背景技術】
【０００２】
プレススル−パッケ−ジ（ＰＴＰ）包装体で包装された薬は、その包装（ＰＴＰ包装）を外して飲むように注意がなされているのにも拘らず、薬を包装のまま飲んでしまうことが多々あるということである。包装体からはずして飲むことは知っているのに、うっかり包装のまま飲んでしまうということもあるようである。
錠剤、カプセル剤は、当該ＰＴＰという包装に入っているものが多く、ＰＴＰとは、Ｐｒｅｓｓ  Ｔｈｒｏｕｇｈ  Ｐａｃｋａｇｅの略で、押して、突き破る、包装、を意味していて、通常、上部が透明で中が見え、底はアルミ箔が貼ってあり、この包装のまま飲んでしまうと、硬くとがっているので、食道、胃などを損傷し、穴を開けたり潰瘍を発生したりすることになる。
そうかと言って、使用の都度、一々、当該包装体をスル−（破砕、突き破り）して、錠剤を外に取り出し使用するのは面倒である。その為の薬の取り出し器具・装置も幾つか提案されている（特開平９−２９００１３号公報、実開平  ６−８３０２８号公報、特開２００２−１０２３１２号公報、特開２０１４−１７１８４７号公報）。しかし、プレススル−パッケ−ジ（ＰＴＰ）包装体では、多数の錠剤が一個ずつ囲包されていて、それも複数列通常２列に分割線を介して分割されていて、全体ではなく、一個ずつをスル−（破砕、突き破り）して、錠剤を包装から外に取り出しするようになっているものが多く、又、予め分割線で分割して当該取り出し作業をする形態になっているものが多い。更に、錠剤の取り出しに際しては、錠剤が何処かに飛んでいってしまうこともある。更に又、当該取り出し装置・器具では、当該プレススル−パッケ−ジ（ＰＴＰ）包装体のスル−（破砕、突き破り）には、かなりの力を要するので、ハンドル操作等の面倒な操作を要するものもある。
薬剤は、通常は、１粒ずつ飲用するが、多種類の複数錠飲用の場合もあり、その場合には、その薬を他と区別して飲用したかが不明の場合もある。
薬の保存法も、冷蔵庫に入れた方がよいものと、室温においておかなければいけないものがあり、いずれにしても、薬を入れておく紙袋が多数枚数に及んでしまうことがある。
【先行技術文献】
【特許文献】
【０００３】
【特許文献１】特開平９−２９００１３号公報、実開平  ６−８３０２８号公報、特開２００２−１０２３１２号公報、特開２０１４−１７１８４７号公報
【考案の開示】
【考案が解決しようとする課題】
【０００４】
本考案は、上記のような薬の飲用に際しての懸念される事項を改善し得る新規な丸薬の供給装置を提供することを目的としたものである。
本考案の他の目的および新規な特徴は以下の明細書及び図面の記載からも明らかになるであろう。
【課題を解決するための手段】
【０００５】
本考案の実用新案登録請求の範囲は、次の通りである。
（請求項１）  丸薬収納部と、該丸薬収納部から供給された丸薬を受ける丸薬受け部と、該丸薬受け部から供給された丸薬の数を調節する丸薬数調節部と、当該丸薬数調節部から供給されてくる丸薬を出口方向に導く丸薬導出部と、当該丸薬導出部から導かれた丸薬を外部に排出する丸薬出口部とを備えてなることを特徴とする丸薬の供給装置。
（請求項２）  丸薬が、義歯洗浄剤であることを特徴とする、請求項１に記載の丸薬の供給装置。
（請求項３）  義歯洗浄剤が、プレススル−パッケ−ジ包装体で包装された義歯洗浄剤の当該包装体を破砕して外に取り出した錠剤よりなることを特徴とする、請求項１又は２に記載の丸薬の供給装置。
（請求項４）  丸薬の供給装置が、蓋部を備え、当該蓋部を押すことにより、丸薬が１錠ずつ外部に排出できるようになっていることを特徴とする、請求項１，２又は３に記載の丸薬の供給装置。
（請求項５）  丸薬を出口方向に導く丸薬導出部が、２つの回転歯車と丸薬を突き動かす丸薬突出部とを備えてなることを特徴とする、請求項１，２、３又は４に記載の丸薬の供給装置。
（請求項６）  丸薬の供給装置が、包装体で包装された丸薬の当該包装体を破砕して丸薬を当該包装体から外部に露出させることができる丸薬包装体破砕部を備えてなることを特徴とする、請求項１，２、３、４又は５に記載の丸薬の供給装置。
【考案の効果】
【０００６】
本願において開示される発明のうち代表的なものによって得られる効果を簡単に説明すれば、下記のとおりである。
すなわち、本考案によれば、請求項１に示すように、丸薬の供給装置を、丸薬収納部と、該丸薬収納部から供給された丸薬を受ける丸薬受け部と、該丸薬受け部から供給された丸薬の数を調節する丸薬数調節部と、当該丸薬数調節部から供給されてくる丸薬を出口方向に導く丸薬導出部と、当該丸薬導出部から導かれた丸薬を外部に排出する丸薬出口部とを備えてなるように構成すると、丸薬収納部には包装のない丸薬を多数収納しておくことができ、当該丸薬収納部から丸薬受け部を介して、丸薬を丸薬数調節部に送るようにすると、当該丸薬数調節部では丸薬の数が調節されるようになっていて、その１錠ずつが、当該丸薬導出部から導かれて丸薬出口部から外部に排出されるので、使用の都度、一々、当該包装体をスル−（破砕、突き破り）して、錠剤を外に取り出し使用する面倒を避けることができる。又、包装を外さずに、薬を包装のまま飲んでしまうことを防止できる。
薬剤を、１粒ずつ飲用することができ、又、 薬を保存でき、薬を入れておく紙袋が多数枚数に及んでしまうことがない。
【０００７】
又、請求項２に示すように、本考案の丸薬の供給装置は、一般に、薬局を通さず市販品が多い義歯洗浄剤のような丸薬に対してより有効に使用でき、より一層上記効果を高めることができる。
【０００８】
更に、請求項３に示すように、義歯洗浄剤が、プレススル−パッケ−ジ包装体で包装された義歯洗浄剤の当該包装体を破砕して外に取り出した錠剤よりなる
場合に、上記に照らしても、より有効に使用でき、又、より一層上記効果を高めることができる。
【０００９】
更に又、請求項４に示すように、丸薬の供給装置が、蓋部を備え、当該蓋部を押すことにより、丸薬が１錠ずつ外部に排出できるようになっていると、必要に応じて当該蓋部を押せばよいので、より一層有効に使用でき、又、より一層上記効果を高めることができる。
【００１０】
更に又、請求項５に示すように、丸薬を出口方向に導く丸薬導出部が、２つの回転歯車と丸薬を突き動かす丸薬突出部とを備えてなると、前記効果をより一層高めることができる。
【００１１】
更に又、請求項６に示すように、丸薬の供給装置が、包装体で包装された丸薬の当該包装体を破砕して丸薬を当該包装体から外部に露出させることができる丸薬包装体破砕部を備えてなると、多数の錠剤が一個ずつ囲包されていて、且つ、複数列通常２列に分割線を介して分割されている形態の当該包装体であっても、予め分割線で分割することもなく、又、一個ずつスル−（破砕、突き破り）する形態にしなくても、全体を、当該丸薬包装体破砕部に装着すれば、包装された丸薬の当該包装体を全体的に破砕して丸薬を当該包装体から外部に露出させることができると共に、上記の請求項１に示す丸薬の供給装置と合わさって、多数の丸薬が、丸薬収納部及び丸薬受け部を介して、丸薬数調節部に送られ、当該丸薬数調節部では丸薬の数が調節されので、１錠ずつが、当該丸薬導出部から導かれて丸薬出口部から外部に排出されることができる。
その為、予め分割線で分割して当該取り出し作業をする必要も、又、一個ずつをスル−（破砕、突き破り）して、錠剤を包装から外に取り出しするようにする必要もない。
又、丸薬の供給装置が、蓋部を備えていると、当該蓋部を押すことにより、プレススル−パッケ−ジ包装体の全体が一度にスル−（破砕、突き破り）され、又、当該蓋部を押すことにより、プレススル−パッケ−ジ包装体の全体が一度に軽い力でスル−（破砕、突き破り）できるので、面倒なハンドル操作等の操作を要しないで、当該スル−（破砕、突き破り）と共に、丸薬を１錠ずつ外部に排出できる。錠剤の取り出しに際しては、錠剤が何処かに飛んでいってしまうこともない。
【００１２】
次に、本考案の実施例を図面を参照しつつ説明する。
【実施例】
【００１３】
本考案の丸薬の供給装置１の全体の断面図の一例を図１に示す。
当該丸薬の供給装置１は、丸薬収納部１００と、該丸薬収納部１００から供給された丸薬を受ける丸薬受け部１０１と、該丸薬受け部１０１から供給された丸薬の数を調節する丸薬数調節部１０２と、当該丸薬数調節部１０２から供給されてくる丸薬を出口方向に導く丸薬導出部１０３と、当該丸薬導出部１０３から導かれた丸薬を外部に排出する丸薬出口部１０４とを備えてなる。
【００１４】
当該丸薬の供給装置１における丸薬収納部１００には、包装されていない詰め替えの丸薬を複数収納することができる。単数ではなく、多数収納し、後述のように、丸薬が１錠ずつ外部に排出できる。
当該丸薬収納部１００は、収納壁部１００１と仕切り部１００２と把持片部（引紙部）１００３と底部１００４とを備えてなる。
当該仕切り部１００２は、図示例のように、当該引紙部１００３の両端部から斜め上方向に延びて、当該収納壁部１００１にその一端部を接合して設けられている。
当該仕切り部１００２により、当該丸薬収納部１００内の丸薬が、収納壁部１００１側に寄ってしまい、丸薬受け部１０１に落下し難くなることを防止できる。
当該把持片部（引紙部）１００３は、図５及び図６にも示すように、その端部を引くと、当該丸薬収納部１００の底部１００４中央を開口して、当該丸薬収納部１００から、丸薬を、丸薬受け部１０１に供給することができる。
当該引紙部１００３は、その端部を引くと、当該丸薬収納部１００の底部１００４中央を開口すると共に、上記仕切り部１００２を破断することができる。
当該丸薬収納部１００の上部には、図１に示すように、蓋部１０５が当該丸薬収納部１００の収納壁部１００１の上端に載置されている。
当該丸薬収納部１００から当該蓋部１０５を脱して、当該丸薬収納部１００の上部を開口すると、丸薬を当該丸薬収納部１００に供給することができる。
当該蓋部１０５は、丸薬を湿気などから保護して、薬剤保存にも貢献できる。
当該蓋部１０５は、後述のように、それを押すことにより、丸薬を１錠ずつ、当該丸薬の供給装置１の丸薬出口部１０４から外部に排出できるようになっている。
【００１５】
当該丸薬の供給装置１では、当該丸薬収納部１００から供給された丸薬を丸薬受け部１０１で受ける。
当該丸薬受け部１０１は、図示例のように、漏斗状の斜壁部１０１０と当該丸薬収納部１００から供給された丸薬を受ける空間部１０１１とを備えてなる。
【００１６】
当該丸薬の供給装置１では、当該丸薬受け部１０１の下部に丸薬数調節部１０２が設けられている。。
当該丸薬数調節部１０２では、当該丸薬受け部１０１から供給された丸薬の数を調節することができる。
当該丸薬数調節部１０２は、図示例では、筒状に構成され、当該筒状部１０２０における幅（ｘ）を、例えば、図示例のように、丸薬が２個並べられるように調節する。
それにより、丸薬は、当該丸薬数調節部１０２の当該筒状部１０２０において、２個並べられ、後述のように、丸薬が１個ずつ出口側に送られるようになっている。
【００１７】
図１及び図２に示すように、当該丸薬の供給装置１では、当該丸薬収納部１００の収納壁部１００１の下部に、バネ機構１０６が設けられている。
又、図１及び図２に示すように、当該丸薬の供給装置１では、当該バネ機構１０６の下部に、当該丸薬数調節部１０２から供給されてくる丸薬を出口方向に導く丸薬導出部１０３が設けられている。
当該丸薬導出部１０３は、図示のように、２つの回転歯車１０３０Ａ及び１０３０Ｂと丸薬を突き動かす丸薬突出部１０３１とを備えてなる。
上記バネ機構１０６と当該丸薬突出部１０３１における当該回転歯車１０３０Ａとは、当該丸薬突出部１０３１における連接部１０３２とクランプ１０３３とを介して連設されている。当該回転歯車１０３０Ｂにも、バネ機構１０６が付設されている。
【００１８】
図１に示す状態では、当該丸薬の供給装置１は、当該丸薬収納部１００における収納壁部１００１の上端に、前記蓋部１０５が載置され、当該丸薬の供給装置１におけるハウジング１０７と当該収納壁部１００１との間に段差が設けられ、当該ハウジング１０７の上端部が当該収納壁部１００１より低くなっている。
図１に示す状態から、当該蓋部１０５を上方向から、図３に示すように押圧すると、図２に示すように、当該蓋部１０５が下降し、当該収納壁部１００１の上端部と当該ハウジング１０７の上端部とが面一となり、当該バネ機構１０６におけるバネを付勢し、当該連接部１０３２とクランプ１０３３とを介してと当該丸薬突出部１０３１における当該回転歯車１０３０Ａを回転させ、下降させ、次いで、当該回転歯車１０３０Ａに接した回転歯車１０３０Ｂを回転させ、下降させ、出口側に移行させ、当該回転歯車１０３０Ｂに付設した当該丸薬突出部１０３１を駆動させ、出口側に移行させる。
当該丸薬突出部１０３１は、例えば、ピストン機構により構成され、又、先端部側に、例えば、図示のような三角辺の槍様の突出辺Ａを有して成る。
当該丸薬突出部１０３１の突出辺Ａが、当該丸薬数調節部１０２において、例えば、図示例のように、調節されて２個並べられている丸薬の１個を出口側に押すと、次いで、残りの１個の丸薬が、図示例では、左側に寄ってきて、同様にして当該丸薬を出口側に押し、同様に、当該丸薬を丸薬出口部１０４に送り、同様に、当該丸薬の供給装置１から外部に排出することができる。
【００１９】
当該丸薬数調節部１０２における当該筒状部１０２０の底部１０２１には、図１及び図２に示すように、傾斜部Ｓを設けておくと、当該残りの１個の丸薬を移行させ、その丸薬を丸薬出口部１０４に送り込み、当該丸薬の供給装置１から外部に容易に排出させることができるので好ましい。
図３に示すように、当該蓋部１０５を上方向から押圧すると、その都度、丸薬が丸薬出口部１０４から１個づつ排出できる。
【００２０】
図４に丸薬受け部１０１から見た当該丸薬の供給装置１の平面図を示す。
当該丸薬数調節部１０２における当該筒状部１０２０の底部１０２１は、、傾斜部Ｓを除いて開口されていて、２個の丸薬は、前記Ｘ幅の調節により、接していて、蓋部１０５を上記のように押圧すると、その１個が当該開口から落ちるようになっており、又、上記のように、残りの１個の丸薬も当該開口から出てきて、丸薬出口部１０４に送り込みされ、次いで、当該丸薬の供給装置１から外部に容易に排出されるようになっている。
【００２１】
図５は、当該丸薬の供給装置１において、当該蓋部１０５を取り除いた当該丸薬収納部１００の平面図で、又、図６は、同丸薬収納部１００の裏面図で、当該丸薬収納部１００は、収納壁部１００１と仕切り部１００２と引紙部１００３と底部１００４とを備えてなり、当該引紙部１００３の端部を引くと、当該丸薬収納部１００の底部１００４の中央を開口して、当該丸薬収納部１００から、丸薬を、丸薬受け部１０１に供給することができるようになっている。
【００２２】
本考案の当該丸薬の供給装置１は、「丸薬」について適用される。
日本薬局方第１５改正の製剤総則では、「丸薬」について、以下のように定義している。
１．丸剤とは、医薬品を球状に製したものである。
２．本剤を製するには、通例、有効成分に賦形剤、結合剤、崩壊剤又はそのほかの適切な添加剤を加えて混和して均質とした後、適切な方法で球状に成型する。
蜂蜜やコメデンプンなどを結合剤として容易に成型でき、また、持ち運び可能な剤形であることから、漢方薬の古典である傷寒論、金匱要略でも丸剤の存在がみられるなど、伝統的医薬品の剤形としても古くから用いられてきている。
本考案の丸剤の例には、義歯洗浄剤が挙げられるが、他の丸薬でもよい。
本考案の当該丸薬の供給装置１では、その丸薬収納部１００に、詰め替えの丸薬を複数収納することができる。
義歯洗浄剤は、プレススル−パッケ−ジ（ＰＴＰ）包装体から包装をスル−（破砕、突き破り）して、錠剤を外に取り出したものを、少しの水を付けて発泡させ、それら複数の義歯洗浄剤を丸薬収納部１００に詰め替えしていてもよい。
使用の都度、一々、当該包装体をスル−（破砕、突き破り）して、錠剤を外に取り出し使用する面倒を避けることができる。又、包装を外さずに、薬を包装のまま飲んでしまうことを防止できる。
薬剤を、１粒ずつ飲用することができ、多種類の複数錠飲用の場合においても、明確に区別できる。
薬を保存でき、薬を入れておく紙袋が多数枚数に及んでしまうことがない。
【００２３】
図７は、本考案の他の丸薬の供給装置１の実施例を示し、当該丸薬の供給装置１では、前記実施例の丸薬の供給装置とは異なり、包装体で包装された丸薬の当該包装体を破砕して丸薬を当該包装体から外部に露出させることができる丸薬包装体破砕部１０８を備えてなる。
図７に示すように、丸薬包装体破砕部１０８を構成する押圧部１０８０が、蓋部１０５の裏面側に付設されている。
当該丸薬の供給装置１における丸薬収納部１００の収納壁部１００１とハウジング１０７には、図示のように、挿入孔１０８１が設けられていて、当該挿入孔１０８１から、プレススル−パッケ−ジ（ＰＴＰ）包装された薬剤が供給される。当該ＰＴＰ包装は、各種の種類があるが、例えば、アルミ箔を含有するラミネ−トフイルムで構成されていて、薬剤が、当該アルミ箔を含有するラミネ−トフイルムで囲包されている。
当該プレススル−パッケ−ジ（ＰＴＰ）包装された薬剤は、支持部１０８２に支持される。
当該支持部１０８２は、貫通孔Ｗを孔設されていて、上記押圧部１０８０が当該貫通孔Ｗに適合して、当該包装をスル−（破砕、突き破り）して、丸薬を外に取り出すことができるようになっている。貫通孔Ｗは、薬剤が通過できる大きさや形状に構成されている。
前記のように、当該蓋部１０５を上方向から、図３に示すように押圧すると、当該蓋部１０５が下降し、押圧部１０８０が支持部１０７２の上に載置されたプレススル−パッケ−ジ（ＰＴＰ）包装された薬剤の例えば凸状の透明樹脂フイルムを押圧して、当該アルミ箔を含有するラミネ−トフイルムを突き破って、薬剤を丸薬収納部１００に供給することができるようになっている。
当該支持部１０８２における貫通孔Ｗの個数、その大きさ及び（又は）その形状は適宜選択することができる。当該包装された薬剤は、当該支持部１０８２に接合されるが、動かないように固定の為のクランプ装置等を適宜設けてもよい。
中身の義歯洗浄剤が外に出された包装物は、図示のように、他方の挿入孔１０８１から排出することができる。
当該丸薬の供給装置１によれば、多数の錠剤が一個ずつ囲包されていて、且つ、複数列通常２列に分割線を介して分割されている形態の当該包装体であっても、予め分割線で分割することもなく、又、一個ずつスル−（破砕、突き破り）する形態にしなくても、全体を、当該丸薬包装体破砕部１０８に装着すれば、包装された丸薬の当該包装体を全体的に破砕して丸薬を当該包装体から外部に露出させることができると共に、前記の実施例の丸薬の供給装置１と合わさって、多数の丸薬が、丸薬収納部１００及び丸薬受け部１０１を介して、丸薬数調節部１０２に送られ、当該丸薬数調節部１０２では丸薬の数が調節されので、１錠ずつが、当該丸薬導出部１０３から導かれて丸薬出口部１０４から外部に排出されることができる。
その為、予め分割線で分割して当該取り出し作業をする必要も、又、一個ずつをスル−（破砕、突き破り）して、錠剤を包装から外に取り出しするようにする必要もない。
又、丸薬の供給装置１が、蓋部１０５を備えているので、当該蓋部１０５を押すことにより、プレススル−パッケ−ジ包装体の全体が一度にスル−（破砕、突き破り）され、又、当該蓋部１０５を押すことにより、プレススル−パッケ−ジ包装体の全体が一度に軽い力でスル−（破砕、突き破り）できるので、面倒なハンドル操作等の操作を要しないで、当該スル−（破砕、突き破り）と共に、丸薬を１錠ずつ外部に排出できる。錠剤の取り出しに際しては、錠剤が何処かに飛んでいってしまうこともない。
当該丸薬の供給装置１は、前記の実施例の丸薬の供給装置１と、他は同様であり、詳細な説明は省略する。
【００２４】
本考案は上記実施例に限定されず、適宜変更が可能である。
【産業上の利用可能性】
【００２５】
本考案による丸薬の供給装置は、義歯洗浄剤に留まらず、他の丸薬全般に適合される。又、丸薬に留まらず、他の固形薬剤にも適用できる。更には、洗剤等にも適用できる。
【図面の簡単な説明】
【００２６】
【図１】本考案の実施例を示す丸薬の供給装置の全体断面図である。
【図２】本考案の実施例を示す丸薬の供給装置の操作説明断面図である。
【図３】本考案の実施例を示す丸薬の供給装置の全体斜視図である。
【図４】本考案の実施例を示す丸薬受け部から見た丸薬の供給装置１の平面図である。
【図５】本考案の実施例を示す丸薬の供給装置の蓋部を取り除いた丸薬収納部の平面図である。
【図６】本考案の実施例を示す丸薬の供給装置の蓋部を取り除いた丸薬収納部の裏面図である。
【図７】本考案の他の実施例を示す丸薬の供給装置の全体断面図である。
【符号の説明】
【００２７】
１…丸薬の供給装置
１００…丸薬収納部
１０１…丸薬受け部
１０２…丸薬数調節部
１０３…丸薬導出部
１０４…丸薬出口部
１０５…蓋部
１０６…バネ機構
１０７…ハウジング
１０８…丸薬包装体破砕部
１０３０Ａ…回転歯車
１０３０Ｂ…回転歯車
１０３１…丸薬突出部
【図１】
0003198509.tif 000003
【図２】
0003198509.tif 000004
【図３】
0003198509.tif 000005
【図４】
0003198509.tif 000006
【図５】
0003198509.tif 000007
【図６】
0003198509.tif 000008
【図７】
0003198509.tif 000009
【手続補正書】
【提出日】平成27年4月23日(2015.4.23)
【手続補正１】
【補正対象書類名】実用新案登録請求の範囲
【補正対象項目名】全文
【補正方法】変更
【補正の内容】
【実用新案登録請求の範囲】
【請求項１】
丸薬収納部と、該丸薬収納部から供給された丸薬を受ける丸薬受け部と、該丸薬受け部から供給された丸薬の数を調節する丸薬数調節部と、当該丸薬数調節部から供給されてくる丸薬を出口方向に導く丸薬導出部と、当該丸薬導出部から導かれた丸薬を外部に排出する丸薬出口部とを備えてなることを特徴とする丸薬の供給装置。
【請求項２】
丸薬が、義歯洗浄剤であることを特徴とする、請求項１に記載の丸薬の供給装置。
【請求項３】
義歯洗浄剤が、プレススル−パッケ−ジ包装体で包装された義歯洗浄剤の当該包装体を破砕して外に取り出した錠剤よりなることを特徴とする、請求項１又は２に記載の丸薬の供給装置。
【請求項４】
丸薬の供給装置が、蓋部を備えてなることを特徴とする、請求項１，２又は３に記載の丸薬の供給装置。
【請求項５】
丸薬を出口方向に導く丸薬導出部が、２つの回転歯車と当該回転歯車に連設した丸薬を突き動かす丸薬突出部とを備えてなることを特徴とする、請求項１，２、３又は４に記載の丸薬の供給装置。
【請求項６】
丸薬の供給装置が、丸薬包装体破砕部を備えてなることを特徴とする、請求項１，２、３、４又は５に記載の丸薬の供給装置。
【手続補正２】
【補正対象書類名】明細書
【補正対象項目名】全文
【補正方法】変更
【補正の内容】
【考案の詳細な説明】
【技術分野】
【０００１】     本考案は、丸薬の供給装置に関し、特に、プレススル−パッケ−ジ（ＰＴＰ）包装体で包装された義歯洗浄剤から、使用の都度、一々、当該包装体を破砕して錠剤の義歯洗浄剤を外に取り出し使用する面倒を回避でき、その蓋部を押すことにより、丸薬を簡単に１錠ずつ外部に排出できるようにした等の利便性のある丸薬の供給装置に関するものである。
【背景技術】
【０００２】   プレススル−パッケ−ジ（ＰＴＰ）包装体で包装された薬は、その包装（ＰＴＰ包装）を外して飲むように注意がなされているのにも拘らず、薬を包装のまま飲んでしまうことが多々あるということである。包装体からはずして飲むことは知っているのに、うっかり包装のまま飲んでしまうということもあるようである。    錠剤、カプセル剤は、当該ＰＴＰという包装に入っているものが多く、ＰＴＰとは、Ｐｒｅｓｓ  Ｔｈｒｏｕｇｈ  Ｐａｃｋａｇｅの略で、押して、突き破る、包装、を意味していて、通常、上部が透明で中が見え、底はアルミ箔が貼ってあり、この包装のまま飲んでしまうと、硬くとがっているので、食道、胃などを損傷し、穴を開けたり潰瘍を発生したりすることになる。   そうかと言って、使用の都度、一々、当該包装体をスル−（破砕、突き破り）して、錠剤を外に取り出し使用するのは面倒である。その為の薬の取り出し器具・装置も幾つか提案されている（特開平９−２９００１３号公報、実開平  ６−８３０２８号公報、特開２００２−１０２３１２号公報、特開２０１４−１７１８４７号公報）。しかし、プレススル−パッケ−ジ（ＰＴＰ）包装体では、多数の錠剤が一個ずつ囲包されていて、それも複数列通常２列に分割線を介して分割されていて、全体ではなく、一個ずつをスル−（破砕、突き破り）して、錠剤を包装から外に取り出しするようになっているものが多く、又、予め分割線で分割して当該取り出し作業をする形態になっているものが多い。更に、錠剤の取り出しに際しては、錠剤が何処かに飛んでいってしまうこともある。更に又、当該取り出し装置・器具では、当該プレススル−パッケ−ジ（ＰＴＰ）包装体のスル−（破砕、突き破り）には、かなりの力を要するので、ハンドル操作等の面倒な操作を要するものもある。   薬剤は、通常は、１粒ずつ飲用するが、多種類の複数錠飲用の場合もあり、その場合には、その薬を他と区別して飲用したかが不明の場合もある。    薬の保存法も、冷蔵庫に入れた方がよいものと、室温においておかなければいけないものがあり、いずれにしても、薬を入れておく紙袋が多数枚数に及んでしまうことがある。
【先行技術文献】
【特許文献】
【０００３】
【特許文献１】特開平９−２９００１３号公報、実開平  ６−８３０２８号公報、特開２００２−１０２３１２号公報、特開２０１４−１７１８４７号公報
【考案の開示】
【考案が解決しようとする課題】
【０００４】   本考案は、上記のような薬の飲用に際しての懸念される事項を改善し得る新規な丸薬の供給装置を提供することを目的としたものである。   本考案の他の目的および新規な特徴は以下の明細書及び図面の記載からも明らかになるであろう。
【課題を解決するための手段】
【０００５】   本考案の実用新案登録請求の範囲は、次の通りである。     （請求項１）  丸薬収納部と、該丸薬収納部から供給された丸薬を受ける丸薬受け部と、該丸薬受け部から供給された丸薬の数を調節する丸薬数調節部と、当該丸薬数調節部から供給されてくる丸薬を出口方向に導く丸薬導出部と、当該丸薬導出部から導かれた丸薬を外部に排出する丸薬出口部とを備えてなることを特徴とする丸薬の供給装置。     （請求項２）  丸薬が、義歯洗浄剤であることを特徴とする、請求項１に記載の丸薬の供給装置。     （請求項３）  義歯洗浄剤が、プレススル−パッケ−ジ包装体で包装された義歯洗浄剤の当該包装体を破砕して外に取り出した錠剤よりなることを特徴とする、請求項１又は２に記載の丸薬の供給装置。     （請求項４）  丸薬の供給装置が、蓋部を備えてなることを特徴とする、請求項１，２又は３に記載の丸薬の供給装置。     （請求項５）  丸薬を出口方向に導く丸薬導出部が、２つの回転歯車と当該回転歯車に連設した丸薬を突き動かす丸薬突出部とを備えてなることを特徴とする、請求項１，２、３又は４に記載の丸薬の供給装置。     （請求項６）  丸薬の供給装置が、丸薬包装体破砕部を備えてなることを特徴とする、請求項１，２、３、４又は５に記載の丸薬の供給装置。
【考案の効果】
【０００６】   本願において開示される発明のうち代表的なものによって得られる効果を簡単に説明すれば、下記のとおりである。   すなわち、本考案によれば、請求項１に示すように、丸薬の供給装置を、丸薬収納部と、該丸薬収納部から供給された丸薬を受ける丸薬受け部と、該丸薬受け部から供給された丸薬の数を調節する丸薬数調節部と、当該丸薬数調節部から供給されてくる丸薬を出口方向に導く丸薬導出部と、当該丸薬導出部から導かれた丸薬を外部に排出する丸薬出口部とを備えてなるように構成すると、丸薬収納部には包装のない丸薬を多数収納しておくことができ、当該丸薬収納部から丸薬受け部を介して、丸薬を丸薬数調節部に送るようにすると、当該丸薬数調節部では丸薬の数が調節されるようになっていて、その１錠ずつが、当該丸薬導出部から導かれて丸薬出口部から外部に排出されるので、使用の都度、一々、当該包装体をスル−（破砕、突き破り）して、錠剤を外に取り出し使用する面倒を避けることができる。又、包装を外さずに、薬を包装のまま飲んでしまうことを防止できる。   薬剤を、１粒ずつ飲用することができ、又、 薬を保存でき、薬を入れておく紙袋が多数枚数に及んでしまうことがない。【０００７】   又、請求項２に示すように、本考案の丸薬の供給装置は、一般に、薬局を通さず市販品が多い義歯洗浄剤のような丸薬に対してより有効に使用でき、より一層上記効果を高めることができる。【０００８】   更に、請求項３に示すように、義歯洗浄剤が、プレススル−パッケ−ジ包装体で包装された義歯洗浄剤の当該包装体を破砕して外に取り出した錠剤よりなる場合に、上記に照らしても、より有効に使用でき、又、より一層上記効果を高めることができる。【０００９】   更に又、請求項４に示すように、丸薬の供給装置が、蓋部を備え、当該蓋部を押すことにより、丸薬が１錠ずつ外部に排出できるようになっていると、必要に応じて当該蓋部を押せばよいので、より一層有効に使用でき、又、より一層上記効果を高めることができる。【００１０】   更に又、請求項５に示すように、丸薬を出口方向に導く丸薬導出部が、２つの回転歯車と丸薬を突き動かす丸薬突出部とを備えてなると、前記効果をより一層高めることができる。【００１１】   更に又、請求項６に示すように、丸薬の供給装置が、包装体で包装された丸薬の当該包装体を破砕して丸薬を当該包装体から外部に露出させることができる丸薬包装体破砕部を備えてなると、多数の錠剤が一個ずつ囲包されていて、且つ、複数列通常２列に分割線を介して分割されている形態の当該包装体であっても、予め分割線で分割することもなく、又、一個ずつスル−（破砕、突き破り）する形態にしなくても、全体を、当該丸薬包装体破砕部に装着すれば、包装された丸薬の当該包装体を全体的に破砕して丸薬を当該包装体から外部に露出させることができると共に、上記の請求項１に示す丸薬の供給装置と合わさって、多数の丸薬が、丸薬収納部及び丸薬受け部を介して、丸薬数調節部に送られ、当該丸薬数調節部では丸薬の数が調節されので、１錠ずつが、当該丸薬導出部から導かれて丸薬出口部から外部に排出されることができる。   その為、予め分割線で分割して当該取り出し作業をする必要も、又、一個ず��をスル−（破砕、突き破り）して、錠剤を包装から外に取り出しするようにする必要もない。   又、丸薬の供給装置が、蓋部を備えていると、当該蓋部を押すことにより、プレススル−パッケ−ジ包装体の全体が一度にスル−（破砕、突き破り）され、又、当該蓋部を押すことにより、プレススル−パッケ−ジ包装体の全体が一度に軽い力でスル−（破砕、突き破り）できるので、面倒なハンドル操作等の操作を要しないで、当該スル−（破砕、突き破り）と共に、丸薬を１錠ずつ外部に排出できる。錠剤の取り出しに際しては、錠剤が何処かに飛んでいってしまうこともない。【００１２】   次に、本考案の実施例を図面を参照しつつ説明する。
【実施例】
【００１３】   本考案の丸薬の供給装置１の全体の断面図の一例を図１に示す。   当該丸薬の供給装置１は、丸薬収納部１００と、該丸薬収納部１００から供給された丸薬を受ける丸薬受け部１０１と、該丸薬受け部１０１から供給された丸薬の数を調節する丸薬数調節部１０２と、当該丸薬数調節部１０２から供給されてくる丸薬を出口方向に導く丸薬導出部１０３と、当該丸薬導出部１０３から導かれた丸薬を外部に排出する丸薬出口部１０４とを備えてなる。【００１４】   当該丸薬の供給装置１における丸薬収納部１００には、包装されていない詰め替えの丸薬を複数収納することができる。単数ではなく、多数収納し、後述のように、丸薬が１錠ずつ外部に排出できる。   当該丸薬収納部１００は、収納壁部１００１と仕切り部１００２と把持片部（引紙部）１００３と底部１００４とを備えてなる。   当該仕切り部１００２は、図示例のように、当該引紙部１００３の両端部から斜め上方向に延びて、当該収納壁部１００１にその一端部を接合して設けられている。   当該仕切り部１００２により、当該丸薬収納部１００内の丸薬が、収納壁部１００１側に寄ってしまい、丸薬受け部１０１に落下し難くなることを防止できる。   当該把持片部（引紙部）１００３は、図５及び図６にも示すように、その端部を引くと、当該丸薬収納部１００の底部１００４中央を開口して、当該丸薬収納部１００から、丸薬を、丸薬受け部１０１に供給することができる。   当該引紙部１００３は、その端部を引くと、当該丸薬収納部１００の底部１００４中央を開口すると共に、上記仕切り部１００２を破断することができる。   当該丸薬収納部１００の上部には、図１に示すように、蓋部１０５が当該丸薬収納部１００の収納壁部１００１の上端に載置されている。   当該丸薬収納部１００から当該蓋部１０５を脱して、当該丸薬収納部１００の上部を開口すると、丸薬を当該丸薬収納部１００に供給することができる。   当該蓋部１０５は、丸薬を湿気などから保護して、薬剤保存にも貢献できる。   当該蓋部１０５は、後述のように、それを押すことにより、丸薬を１錠ずつ、当該丸薬の供給装置１の丸薬出口部１０４から外部に排出できるようになっている。【００１５】   当該丸薬の供給装置１では、当該丸薬収納部１００から供給された丸薬を丸薬受け部１０１で受ける。   当該丸薬受け部１０１は、図示例のように、漏斗状の斜壁部１０１０と当該丸薬収納部１００から供給された丸薬を受ける空間部１０１１とを備えてなる。【００１６】 当該丸薬の供給装置１では、当該丸薬受け部１０１の下部に丸薬数調節部１０２が設けられている。。   当該丸薬数調節部１０２では、当該丸薬受け部１０１から供給された丸薬の数を調節することができる。   当該丸薬数調節部１０２は、図示例では、筒状に構成され、当該筒状部１０２０における幅（ｘ）を、例えば、図示例のように、丸薬が２個並べられるように調節する。   それにより、丸薬は、当該丸薬数調節部１０２の当該筒状部１０２０において、２個並べられ、後述のように、丸薬が１個ずつ出口側に送られるようになっている。【００１７】   図１及び図２に示すように、当該丸薬の供給装置１では、当該丸薬収納部１００の収納壁部１００１の下部に、バ��機構１０６が設けられている。   又、図１及び図２に示すように、当該丸薬の供給装置１では、当該バネ機構１０６の下部に、当該丸薬数調節部１０２から供給されてくる丸薬を出口方向に導く丸薬導出部１０３が設けられている。   当該丸薬導出部１０３は、図示のように、２つの回転歯車１０３０Ａ及び１０３０Ｂと丸薬を突き動かす丸薬突出部１０３１とを備えてなる。   上記バネ機構１０６と当該丸薬突出部１０３１における当該回転歯車１０３０Ａとは、当該丸薬突出部１０３１における連接部１０３２とクランプ１０３３とを介して連設されている。当該回転歯車１０３０Ｂにも、バネ機構１０６が付設されている。【００１８】   図１に示す状態では、当該丸薬の供給装置１は、当該丸薬収納部１００における収納壁部１００１の上端に、前記蓋部１０５が載置され、当該丸薬の供給装置１におけるハウジング１０７と当該収納壁部１００１との間に段差が設けられ、当該ハウジング１０７の上端部が当該収納壁部１００１より低くなっている。   図１に示す状態から、当該蓋部１０５を上方向から、図３に示すように押圧すると、図２に示すように、当該蓋部１０５が下降し、当該収納壁部１００１の上端部と当該ハウジング１０７の上端部とが面一となり、当該バネ機構１０６におけるバネを付勢し、当該連接部１０３２とクランプ１０３３とを介してと当該丸薬突出部１０３１における当該回転歯車１０３０Ａを回転させ、下降させ、次いで、当該回転歯車１０３０Ａに接した回転歯車１０３０Ｂを回転させ、下降させ、出口側に移行させ、当該回転歯車１０３０Ｂに付設した当該丸薬突出部１０３１を駆動させ、出口側に移行させる。   当該丸薬突出部１０３１は、例えば、ピストン機構により構成され、又、先端部側に、例えば、図示のような三角辺の槍様の突出辺Ａを有して成る。   当該丸薬突出部１０３１の突出辺Ａが、当該丸薬数調節部１０２において、例えば、図示例のように、調節されて２個並べられている丸薬の１個を出口側に押すと、次いで、残りの１個の丸薬が、図示例では、左側に寄ってきて、同様にして当該丸薬を出口側に押し、同様に、当該丸薬を丸薬出口部１０４に送り、同様に、当該丸薬の供給装置１から外部に排出することができる。【００１９】   当該丸薬数調節部１０２における当該筒状部１０２０の底部１０２１には、図１及び図２に示すように、傾斜部Ｓを設けておくと、当該残りの１個の丸薬を移行させ、その丸薬を丸薬出口部１０４に送り込み、当該丸薬の供給装置１から外部に容易に排出させることができるので好ましい。   図３に示すように、当該蓋部１０５を上方向から押圧すると、その都度、丸薬が丸薬出口部１０４から１個づつ排出できる。【００２０】   図４に丸薬受け部１０１から見た当該丸薬の供給装置１の平面図を示す。   当該丸薬数調節部１０２における当該筒状部１０２０の底部１０２１は、、傾斜部Ｓを除いて開口されていて、２個の丸薬は、前記Ｘ幅の調節により、接していて、蓋部１０５を上記のように押圧すると、その１個が当該開口から落ちるようになっており、又、上記のように、残りの１個の丸薬も当該開口から出てきて、丸薬出口部１０４に送り込みされ、次いで、当該丸薬の供給装置１から外部に容易に排出されるよ��になっている。【００２１】   図５は、当該丸薬の供給装置１において、当該蓋部１０５を取り除いた当該丸薬収納部１００の平面図で、又、図６は、同丸薬収納部１００の裏面図で、当該丸薬収納部１００は、収納壁部１００１と仕切り部１００２と引紙部１００３と底部１００４とを備えてなり、当該引紙部１００３の端部を引くと、当該丸薬収納部１００の底部１００４の中央を開口して、当該丸薬収納部１００から、丸薬を、丸薬受け部１０１に供給することができるようになっている。【００２２】   本考案の当該丸薬の供給装置１は、「丸薬」について適用される。   日本薬局方第１５改正の製剤総則では、「丸薬」について、以下のように定義している。 １．丸剤とは、医薬品を球状に製したものである。 ２．本剤を製するには、通例、有効成分に賦形剤、結合剤、崩壊剤又はそのほかの適切な添加剤を加えて混和して均質とした後、適切な方法で球状に成型する。   蜂蜜やコメデンプンなどを結合剤として容易に成型でき、また、持ち運び可能な剤形であることから、漢方薬の古典である傷寒論、金匱要略でも丸剤の存在がみられるなど、伝統的医薬品の剤形としても古くから用いられてきている。   本考案の丸剤の例には、義歯洗浄剤が挙げられるが、他の丸薬でもよい。   本考案の当該丸薬の供給装置１では、その丸薬収納部１００に、詰め替えの丸薬を複数収納することができる。   義歯洗浄剤は、プレススル−パッケ−ジ（ＰＴＰ）包装体から包装をスル−（破砕、突き破り）して、錠剤を外に取り出したものを、少しの水を付けて発泡させ、それら複数の義歯洗浄剤を丸薬収納部１００に詰め替えしていてもよい。   使用の都度、一々、当該包装体をスル−（破砕、突き破り）して、錠剤を外に取り出し使用する面倒を避けることができる。又、包装を外さずに、薬を包装のまま飲んでしまうことを防止できる。   薬剤を、１粒ずつ飲用することができ、多種類の複数錠飲用の場合においても、明確に区別できる。    薬を保存でき、薬を入れておく紙袋が多数枚数に及んでしまうことがない。【００２３】   図７は、本考案の他の丸薬の供給装置１の実施例を示し、当該丸薬の供給装置１では、前記実施例の丸薬の供給装置とは異なり、包装体で包装された丸薬の当該包装体を破砕して丸薬を当該包装体から外部に露出させることができる丸薬包装体破砕部１０８を備えてなる。   図７に示すように、丸薬包装体破砕部１０８を構成する押圧部１０８０が、蓋部１０５の裏面側に付設されている。   当該丸薬の供給装置１における丸薬収納部１００の収納壁部１００１とハウジング１０７には、図示のように、挿入孔１０８１が設けられていて、当該挿入孔１０８１から、プレススル−パッケ−ジ（ＰＴＰ）包装された薬剤が供給される。当該ＰＴＰ包装は、各種の種類があるが、例えば、アルミ箔を含有するラミネ−トフイルムで構成されていて、薬剤が、当該アルミ箔を含有するラミネ−トフイルムで囲包されている。   当該プレススル−パッケ−ジ（ＰＴＰ）包装された薬剤は、支持部１０８２に支持される。   当該支持部１０８２は、貫通孔Ｗを孔設されていて、上記押圧部１０８０が当該貫通孔Ｗに適合して、当該包装をスル−（破砕、突き破り）して、丸薬を外に取り出すことができるよ��になっている。貫通孔Ｗは、薬剤が通過できる大きさや形状に構成されている。   前記のように、当該蓋部１０５を上方向から、図３に示すように押圧すると、当該蓋部１０５が下降し、押圧部１０８０が支持部１０７２の上に載置されたプレススル−パッケ−ジ（ＰＴＰ）包装された薬剤の例えば凸状の透明樹脂フイルムを押圧して、当該アルミ箔を含有するラミネ−トフイルムを突き破って、薬剤を丸薬収納部１００に供給することができるようになっている。   当該支持部１０８２における貫通孔Ｗの個数、その大きさ及び（又は）その形状は適宜選択することができる。当該包装された薬剤は、当該支持部１０８２に接合されるが、動かないように固定の為のクランプ装置等を適宜設けてもよい。   中身の義歯洗浄剤が外に出された包装物は、図示のように、他方の挿入孔１０８１から排出することができる。   当該丸薬の供給装置１によれば、多数の錠剤が一個ずつ囲包されていて、且つ、複数列通常２列に分割線を介して分割されている形態の当該包装体であっても、予め分割線で分割することもなく、又、一個ずつスル−（破砕、突き破り）する形態にしなくても、全体を、当該丸薬包装体破砕部１０８に装着すれば、包装された丸薬の当該包装体を全体的に破砕して丸薬を当該包装体から外部に露出させることができると共に、前記の実施例の丸薬の供給装置１と合わさって、多数の丸薬が、丸薬収納部１００及び丸薬受け部１０１を介して、丸薬数調節部１０２に送られ、当該丸薬数調節部１０２では丸薬の数が調節されので、１錠ずつが、当該丸薬導出部１０３から導かれて丸薬出口部１０４から外部に排出されることができる。   その為、予め分割線で分割して当該取り出し作業をする必要も、又、一個ずつをスル−（破砕、突き破り）して、錠剤を包装から外に取り出しするようにする必要もない。   又、丸薬の供給装置１が、蓋部１０５を備えているので、当該蓋部１０５を押すことにより、プレススル−パッケ−ジ包装体の全体が一度にスル−（破砕、突き破り）され、又、当該蓋部１０５を押すことにより、プレススル−パッケ−ジ包装体の全体が一度に軽い力でスル−（破砕、突き破り）できるので、面倒なハンドル操作等の操作を要しないで、当該スル−（破砕、突き破り）と共に、丸薬を１錠ずつ外部に排出できる。錠剤の取り出しに際しては、錠剤が何処かに飛んでいってしまうこともない。   当該丸薬の供給装置１は、前記の実施例の丸薬の供給装置１と、他は同様であり、詳細な説明は省略する。【００２４】   本考案は上記実施例に限定されず、適宜変更が可能である。
【産業上の利用可能性】
【００２５】   本考案による丸薬の供給装置は、義歯洗浄剤に留まらず、他の丸薬全般に適合される。又、丸薬に留まらず、他の固形薬剤にも適用できる。更には、洗剤等にも適用できる。
【図面の簡単な説明】
【００２６】
【図１】本考案の実施例を示す丸薬の供給装置の全体断面図である。
【図２】本考案の実施例を示す丸薬の供給装置の操作説明断面図である。
【図３】本考案の実施例を示す丸薬の供給装置の全体斜視図である。
【図４】本考案の実施例を示す丸薬受け部から見た丸薬の供給装置１の平面図である。
【図５】本考案の実施例を示す丸薬の供給装置の蓋部を取り除いた丸薬収納部の平面図である。
【図６】本考案の実施例を示す丸薬の供給装置の蓋部を取り除いた丸薬収納部の裏面図である。
【図７】本考案の他の実施例を示す丸薬の供給装置の全体断面図である。
【符号の説明】
【００２７】 １…丸薬の供給装置 １００…丸薬収納部 １０１…丸薬受け部 １０２…丸薬数調節部 １０３…丸薬導出部 １０４…丸薬出口部 １０５…蓋部 １０６…バネ機構 １０７…ハウジング１０８…丸薬包装体破砕部 １０３０Ａ…回転歯車 １０３０Ｂ…回転歯車 １０３１…丸薬突出部